(57)【要約】      （修正有）【課題】毛材を基台に着脱自在に取り付けることで、デザイン性に富んだブラシを提供する。【解決手段】基台２０と、該基台２０の表面から立設する色彩及び／又は長さの異なる１２種類の毛材２２Ｗ，２２Ｂ，２２Ｒ，２２Ｙを有し、上記基台２０には、内面に雌ネジが形成された多数の穴が形成されていると共に、上記毛材２２Ｗ，２２Ｂ，２２Ｒ，２２Ｙの基端部に、上記雌ネジと螺合する雄ネジが形成されており、毛材の基端部に形成した雄ネジと、基台２０の穴内面に形成した雌ネジとの螺合又は螺合解除により、毛材を基台２０に着脱自在に取付けられるよう構成した。【選択図】図２
0003163855.tif 000002
【実用新案登録請求の範囲】
【請求項１】
基台と、該基台の表面から立設する色彩の異なる複数種類の毛材を有するブラシであって、上記毛材が上記基台に着脱自在に取付けられることを特徴とするブラシ。
【請求項２】
長さの異なる複数種類の毛材を有することを特徴とする請求項１に記載のブラシ。
【請求項３】
上記基台に、内面に雌ネジが形成された多数の穴が形成されており、また、上記毛材の基端部に、上記雌ネジと螺合する雄ネジが形成されていることを特徴とする請求項１又は２に記載のブラシ。
【考案の詳細な説明】
【技術分野】
【０００１】
この考案は、基台と該基台の表面から立設する毛材を備えたブラシに関する。
【背景技術】
【０００２】
従来、基台と該基台の表面から立設する毛材を備えたブラシとしては、一例として、「基台３と、該基台３から立設する毛材としての弾性突起４を備えたブラシ状洗浄用具」（特許文献１）や、「ブラシ基台２と、該ブラシ基台２から立設するブラシ毛１０を備えたヘアーブラシ」等がある。
【特許文献１】特開２００１−１８６９２９号公報
【特許文献２】特開２００６−３４５８９４号公報
【考案の開示】
【考案が解決しようとする課題】
【０００３】
しかしながら、従来のブラシは、もっぱら機能性のみを追求して開発が行われているものであり、デザイン性に欠けるものであった。
【０００４】
本考案は、従来の上記問題点に鑑みて案出されたものであり、その目的とするところは、デザイン性に富んだブラシを実現することにある。
【課題を解決するための手段】
【０００５】
上記の目的を達成するために、本考案の請求項１に記載のブラシは、
基台と、該基台の表面から立設する色彩の異なる複数種類の毛材を有するブラシであって、上記毛材が上記基台に着脱自在に取付けられることを特徴とする。
【０００６】
本考案の請求項２に記載のブラシは、請求項１に記載のブラシにおいて、さらに、
長さの異なる複数種類の毛材を有することを特徴とする。
【０００７】
本考案の請求項３に記載のブラシは、請求項１又は２に記載のブラシにおいて、
上記基台に、内面に雌ネジが形成された多数の穴が形成されており、また、上記毛材の基端部に、上記雌ネジと螺合する雄ネジが形成されていることを特徴とする。
【考案の効果】
【０００８】
本考案の請求項１に記載のブラシは、色彩の異なる複数種類の毛材を有し、上記毛材が基台に着脱自在に取付けられることから、基台に取り付ける毛材の色彩の種類、取付位置を使用者が適宜選定することにより、基台の表面から立設する色彩の異なる複数種類の毛材によって任意のデザインを表現することができ、デザイン性に富んだブラシを実現することができる。
【０００９】
本考案の請求項２に記載のブラシは、色彩の異なる複数種類の毛材と共に、長さの異なる複数種類の毛材も有しているので、基台に取り付ける毛材の色彩及び／又は長さの種類、取付位置を使用者が適宜選定することにより、基台の表面から立設する色彩及び／又は長さの異なる毛材によって任意のデザインを表現することができ、デザイン性に富んだブラシを実現することができる。
【００１０】
本考案の請求項３に記載のブラシの如く、基台に、内面に雌ネジが形成された多数の穴が形成すると共に、毛材の基端部に、上記雌ネジと螺合する雄ネジを形成した場合には、毛材の基端部の雄ネジと、基台の穴内面の雌ネジとの螺合又は螺合解除により、毛材を基台に着脱自在に取付けることができる。
【考案を実施するための最良の形態】
【００１１】
以下において、本考案に係るブラシを添付図面に基づいて説明する。
図１は本考案に係るブラシ10を示す正面図、図２は要部正面拡大図、図３は側面図、図４は要部側面拡大図である。
【００１２】
本考案に係るブラシ10は、トイレ等の清掃用ブラシであり、細長棒状の柄部12と、該柄部12の先端に形成したブラシ部14と、上記柄部12の後端に形成した棒状の把手部16を備えている。
【００１３】
上記ブラシ部14は、先端が半球状と成された略円柱形の基台20（図５参照）と、該基台20の表面から立設する多数の毛材22を有している。
図５及び図６に示すように、ブラシ部14の基台20には、上記毛材22が挿入される多数の穴24が形成されており、図１２に拡大して示すように、穴24の内面には雌ネジ26が形成されているものである。
【００１４】
上記毛材22は、図７乃至図１０に示すように、雄ネジ28が形成された基端部30と、該基端部30に植設された合成樹脂等の剛性繊維から成る複数本の毛32を有している。
本考案のブラシ10は、色彩の異なる４種類の毛材22を有しており、具体的には、図７に示す白色の毛材22W、図８に示す黒色の毛材22Ｂ、図９に示す赤色の毛材22Ｒ、図１０に示す黄色の毛材22Ｙの４種類である。尚、添付図面においては、便宜上、白色、黒色、赤色、黄色の差を４段階の色調差で表現している。
また、図７（ａ）〜（ｃ）乃至図１０（ａ）〜（ｃ）に示すように、各色の毛材22W，22Ｂ，22Ｒ，22Ｙとして、それぞれ長さの異なる長・中・短の３種類を有している。
従って、本考案のブラシ10は、色彩及び／又は長さの異なる１２種類の毛材22W，22Ｂ，22Ｒ，22Ｙを有するものである。
【００１５】
上記毛材22の基端部30の雄ネジ28と、上記基台20の穴24内面の雌ネジ26とは螺合するようになっており、図１１及び図１２に示すように、毛材基端部30の雄ネジ28を、基台20の穴24内面の雌ネジ26に螺合することにより、毛材22の基端部30が基台20の穴24内に挿入され、毛材22が基台20の表面から立設した状態で固定される。
また、毛材基端部30の雄ネジ28と、基台20の穴24内面の雌ネジ26との螺合を解除すれば、毛材22を基台20から取り外すことができる。
すなわち、本考案のブラシ10にあっては、毛材22の基端部30の雄ネジ28と、基台20の穴24内面の雌ネジ26との螺合又は螺合解除により、毛材22が基台20に着脱自在と成されている。
【００１６】
上記の通り、本考案のブラシ10にあっては、色彩及び／又は長さの異なる１２種類の毛材22W，22Ｂ，22Ｒ，22Ｙを有すると共に、毛材22W，22Ｂ，22Ｒ，22Ｙが基台20に着脱自在と成されていることから、基台20に取り付ける毛材22W，22Ｂ，22Ｒ，22Ｙの色彩及び／又は長さの種類、取付位置を使用者が適宜選定することにより、基台20の表面から立設する色彩及び／又は長さの異なる毛材22W，22Ｂ，22Ｒ，22Ｙによって任意のデザインを表現することができ、デザイン性に富んだブラシ10を実現することができる。
【００１７】
因みに、図１乃至図４に示した本考案のブラシ10は、「にわとり」のデザインを表現したものであり、図２に示すように、「とさか」の部分に赤色の毛材22Ｒ、「目」の部分に黒色の毛材22Ｂ、「くちばし」の部分に黄色の毛材22Ｙ、「肉髭」の部分に赤色の毛材22Ｒ、上記以外の部分に白色の毛材22Ｗを基台20に取付けることにより構成している。
【００１８】
図１３乃至図１６は、本考案に係るブラシ10の変形例を示すものであり、この変形例は、「ライオン」のデザインを表現したものであり、図１４に示すように、頭頂部や顎の「たてがみ」の部分に黄色の毛材22Ｙ、「目」と「鼻」の部分に黒色の毛材22Ｂ、「口」の部分に赤色の毛材22Ｒ、上記以外の部分に白色の毛材22Ｗを基台20に取付けることにより構成している。
【００１９】
上記においては、本考案をトイレ等の清掃用ブラシに適用した場合を例示したが、これに限定されるものではなく、基台と、該基台の表面から立設する毛材を有するブラシであればヘアブラシ等、他のブラシについても適用可能である。
【００２０】
また上記においては、色彩及び／又は長さの異なる１２種類の毛材22を使用した場合を例示したが、本考案はこれに限定されるものではない。
すなわち、長さは同じで色彩のみ異なる複数種類の毛材22を使用した場合であっても、基台20に取り付ける毛材22の色彩の種類、取付位置を使用者が適宜選定することにより、基台20の表面から立設する色彩の異なる複数種類の毛材22によって任意のデザインを表現することができる。もっとも、色彩及び長さの異なる複数種類の毛材22を使用した場合の方がより立体的にデザインを表現できるので一層好ましいものである。
【００２１】
尚、毛材22の色彩の種類は上記した白色、黒色、赤色、黄色に限定されるものではなく、任意に選定できるものであることは云うまでもない。また、毛材22の長さの種類も上記した長・中・短の３種類に限定されるものではない。
【００２２】
また、上記においては、毛材22の基端部30に形成した雄ネジ28と、基台20の穴24内面に形成した雌ネジ26との螺合又は螺合解除により、毛材22を基台20に着脱自在に取付けられるよう構成したが、これに限定されるものではない。例えば、雄ネジ28及び雌ネジ26を形成することなく、毛材22の基端部30を基台20の穴24に圧入できると共に引抜き可能に構成することにより、毛材22を基台20に着脱自在に取付けられるようにしても良い。要するに、毛材22が基台20に着脱自在に取付けできるよう構成されていれば良い。
【００２３】
さらに、上記においては、雄ネジ28が形成された基端部30に複数本の毛32を植設して構成した毛材22を例示したが、勿論これに限定されるものではなく、基台20の表面から立設すると共に、基台20に着脱自在と成されている毛材22であれば良い。
【図面の簡単な説明】
【００２４】
【図１】本考案に係るブラシを示す正面図である。
【図２】本考案に係るブラシの要部正面拡大図である。
【図３】本考案に係るブラシを示す側面図である。
【図４】本考案に係るブラシの要部側面拡大図である。
【図５】毛材を取付ける前の状態における本考案のブラシを示す正面図である。
【図６】毛材を取付ける前の状態における本考案のブラシを示す平面図である。
【図７】白色の毛材を示す拡大正面図である。
【図８】黒色の毛材を示す拡大正面図である。
【図９】赤色の毛材を示す拡大正面図である。
【図１０】黄色の毛材を示す拡大正面図である。
【図１１】基台への毛材の取付方法を示す説明図である。
【図１２】基台への毛材の取付方法を示す要部拡大断面図である。
【図１３】本考案に係るブラシの変形例を示す正面図である。
【図１４】本考案に係るブラシの変形例を示す要部正面拡大図である。
【図１５】本考案に係るブラシの変形例を示す側面図である。
【図１６】本考案に係るブラシの変形例を示す要部側面拡大図である。
【符号の説明】
【００２５】
10    ブラシ
12    柄部
14    ブラシ部
16    把手部
20    基台
22    毛材
22Ｗ  白色の毛材
22Ｂ  黒色の毛材
22Ｒ  赤色の毛材
22Ｙ  黄色の毛材
24    基台の穴
26    基台の穴内面の雌ネジ
28    毛材の基端部の雄ネジ
30    毛材の基端部
32    毛材の毛
【図１】
0003163855.tif 000003
【図２】
0003163855.tif 000004
【図３】
0003163855.tif 000005
【図４】
0003163855.tif 000006
【図５】
0003163855.tif 000007
【図６】
0003163855.tif 000008
【図７】
0003163855.tif 000009
【図８】
0003163855.tif 000010
【図９】
0003163855.tif 000011
【図１０】
0003163855.tif 000012
【図１１】
0003163855.tif 000013
【図１２】
0003163855.tif 000014
【図１３】
0003163855.tif 000015
【図１４】
0003163855.tif 000016
【図１５】
0003163855.tif 000017
【図１６】
0003163855.tif 000018